(57)【特許請求の範囲】
【請求項１】
端末装置に適用される作動方法であって、前記端末装置の表面はベゼルに配置され前記端末装置の画面に重ならない３つのタッチ領域が設けられ、前記３つのタッチ領域がそれぞれ３つのシステムナビゲーション機能に対応し、前記３つのシステムナビゲーション機能がバック、ホーム、および最近アプリを含み、前記作動方法は、
前記端末装置が、前記３つのタッチ領域のうちの１つに加えられた圧力を検出するステップであって、前記圧力の大きさが予め設定された値を超えるステップと、
前記端末装置が、前記圧力が加えられる前記３つのタッチ領域のうちの１つに対応するシステムナビゲーション機能を実施するステップとを含み、
前記３つのタッチ領域は第１タッチ領域、第２タッチ領域、及び第３タッチ領域を含み、前記第１タッチ領域は、前記端末装置の前面の前記ベゼルの２つのエッジ部に対称的に配置された２つの部分に分割され、前記第２タッチ領域は、前記端末装置の前記前面の２つのコーナー部に対称的に配置された２つの部分に分割され、前記第３タッチ領域は、前記端末装置の前記前面の前記ベゼルの１つのエッジ部の中央に、２つの部分に分割され、または全体として配置される、作動方法。
【請求項２】
端末装置に適用される作動方法であって、前記端末装置の表面はベゼルに配置され前記端末装置の画面に重ならない３つのタッチ領域が設けられ、前記３つのタッチ領域がそれぞれ３つのシステムナビゲーション機能に対応し、前記３つのシステムナビゲーション機能がバック、ホーム、および最近アプリを含み、前記作動方法は、
前記端末装置が、前記３つのタッチ領域のうちの１つに加えられた圧力を検出するステップであって、前記圧力の大きさが予め設定された値を超えるステップと、
前記端末装置が、前記圧力が加えられる前記３つのタッチ領域のうちの１つに対応するシステムナビゲーション機能を実施するステップとを含み、
前記３つのタッチ領域の少なくとも１つは、前記端末装置の２つの側面に対称的に配置された２つの部分に分割されている、作動方法。
【請求項３】
端末装置であって、前記端末装置の表面はベゼルに配置され前記端末装置の画面に重ならない３つのタッチ領域が設けられ、前記３つのタッチ領域がそれぞれ３つのシステムナビゲーション機能に対応し、前記３つのシステムナビゲーション機能がバック、ホーム、および最近アプリを含み、前記端末装置は、
前記３つのタッチ領域のうちの１つに加えられた圧力を検出し、前記圧力の大きさが予め設定された値を超えることを検出すると、プロセッサに、前記圧力が加えられた前記３つのタッチ領域のうちの１つに対応するシステムナビゲーション機能を実施するように命令するように構成された圧力センサと、
前記圧力が加えられた前記３つのタッチ領域のうちの１つに対応する前記システムナビゲーション機能を実施するように構成された前記プロセッサとを有し、
前記３つのタッチ領域は第１タッチ領域、第２タッチ領域、及び第３タッチ領域を含み、前記第１タッチ領域は、前記端末装置の前面の前記ベゼルの２つのエッジ部に対称的に配置された２つの部分に分割され、前記第２タッチ領域は、前記端末装置の前記前面の２つのコーナー部に対称的に配置された２つの部分に分割され、前記第３タッチ領域は、前記端末装置の前記前面の前記ベゼルの１つのエッジ部の中央に、２つの部分に分割され、または全体として配置される、端末装置。
【請求項４】
端末装置であって、前記端末装置の表面はベゼルに配置され前記端末装置の画面に重ならない３つのタッチ領域が設けられ、前記３つのタッチ領域がそれぞれ３つのシステムナビゲーション機能に対応し、前記３つのシステムナビゲーション機能がバック、ホーム、および最近アプリを含み、前記端末装置は、
前記３つのタッチ領域のうちの１つに加えられた圧力を検出し、前記圧力の大きさが予め設定された値を超えることを検出すると、プロセッサに、前記圧力が加えられた前記３つのタッチ領域のうちの１つに対応するシステムナビゲーション機能を実施するように命令するように構成された圧力センサと、
前記圧力が加えられた前記３つのタッチ領域のうちの１つに対応する前記システムナビゲーション機能を実施するように構成された前記プロセッサとを有し、
前記３つのタッチ領域の少なくとも１つは、前記端末装置の２つの側面に対称的に配置された２つの部分に分割されている、端末装置。
【発明の詳細な説明】
【技術分野】
【０００１】
本発明は、移動体通信技術の分野に関し、特に、端末装置に適用される作動方法及び端末装置に関する。
【背景技術】
【０００２】
現在、端末装置のタッチ画面は、ユーザがタップとタッチ＆ホールドの２種類の操作を行うことを可能にする。ユーザのタップ操作の場合、端末装置は、指の導電性を利用して指がタップする位置を決定して、対応する機能を実施する。ユーザのタッチ＆ホールド操作の場合、端末装置は、ユーザが画面上のある点に触れる時刻を検出し、指定された時間が経過した後、その操作をタッチ＆ホールド操作として識別し、対応する機能を実施する。端末装置の画面が大きくなるにつれて、ユーザが端末装置を片手で持っているとき、画面の端をタップすることは不便である。したがって、端末装置に適用される作動方法が必要であり、ユーザが迅速かつ便利に端末を操作して、特定の機能を実施できるようにする必要がある。
【発明の概要】
【０００３】
上記の技術的課題を解決するため、本発明の実施形態は、端末装置に適用される作動方法及び端末装置を提供して、ユーザが迅速かつ便利に特定の機能を実施できるようにする。
【０００４】
第１の態様によると、本発明の一実施形態は、端末装置に適用される作動方法であって、端末装置の表面に３つのタッチ領域が設けられ、その３つのタッチ領域がそれぞれ、バック、ホーム、および最近のアプリを含む３つのシステムナビゲーション機能にそれぞれ対応する、作動方法を提供する。該方法は、端末装置が３つのタッチ領域の１つに加えられた圧力を検出し、その大きさが予め設定された値を超えることを検出すると、前記端末装置が、圧力が加えられたタッチ領域に対応するシステムナビゲーション機能を実行するステップを含む。
【０００５】
第２の態様によると、本発明の一実施形態は、端末装置であって、端末装置の表面に３つのタッチ領域が設けられ、その３つのタッチ領域がそれぞれ、バック、ホーム、および最近のアプリを含む３つのシステムナビゲーション機能にそれぞれ対応する、端末装置を提供する。該端末装置は、前記３つのタッチ領域の１つに加えられた圧力を検出し、前記圧力の大きさが予め設定された値を超えることを検出すると、プロセッサに、前記圧力が加えられた前記タッチ領域に対応するシステムナビゲーション機能を実施するように命令するように構成された圧力センサと、前記圧力が加えられた前記タッチ領域に対応する前記システムナビゲーション機能を実施するように構成された前記プロセッサとを有する。
【０００６】
第３の態様によると、本発明の一実施形態は、端末装置に適用される他の作動方法を提供し、該作動方法は、前記端末装置が、前記端末装置の画面上のアプリのアイコンに加えられた圧力を検出し、前記端末装置はロック画面状態にあり、前記圧力の大きさは予め設定された値を超える場合、前記端末装置が、前記画面のロックを解除し、前記アプリを実行するステップを含む。
【０００７】
第４の態様によると、本発明の一実施形態は、他の端末装置を提供し、該端末装置は、ロック画面状態にある前記端末装置で、前記端末装置の画面上のアプリのアイコンに加えられた圧力を検出し、前記圧力の大きさが予め設定された値を超えることを検出すると、プロセッサに、前記画面のロックを解除して前記アプリを実行するように命令するように構成された圧力センサと、前記画面のロックを解除して前記アプリを実行するように構成された前記プロセッサとを有する。
【０００８】
本発明の実施形態で提供される技術的解決策によってもたらされる有益な効果は、端末装置の表面上に配置されたタッチ領域においてフォースタッチを行うことによって、ユーザがシステムナビゲーション機能を迅速かつ便利に操作することを可能にすることである。
【図面の簡単な説明】
【０００９】
本発明の実施形態の技術的解決手段をより明確に説明するため、以下に実施形態を説明するのに必要な添付図面を簡単に説明する。言うまでもなく、以下に説明する添付図面は、本発明の実施形態を示しており、本技術分野の当業者は、創作的努力をせずとも、これらの添付図面から他の図面に想到することもできるだろう。
【００１０】
【図１】本発明の一実施形態による、端末装置に適用される作動方法を示す図である。
【００１１】
【図２】本発明の一実施形態によるタッチ領域配置方式を示す図である。
【００１２】
【図３】本発明の一実施形態による他のタッチ領域配置方式を示す図である。
【００１３】
【図４】本発明の一実施形態による端末装置を示す模式的構造図である。
【００１４】
【図５】本発明の一実施形態による、端末装置に適用される他の作動方法を示す図である。
【００１５】
【図６】本発明の一実施形態による他の端末装置を示す模式的構造図である。
【発明を実施するための形態】
【００１６】
本発明の目的、技術的ソリューション、及び優位性を明確にするため、以下に、添付した図面を参照して本発明の実施形態を詳細に説明する。
【００１７】
本発明の実施形態で説明される装置は、端末（Ｔｅｒｍｉｎａｌ）、システム、加入者ユニット、加入者局、移動局、遠隔局、遠隔局、移動装置、ユーザ端末、モバイル端末、無線通信装置、ユーザプロキシ、ユーザ装置、又はユーザ機器（英語での完全なスペリング：Ｕｓｅｒ  Ｅｑｕｉｐｍｅｎｔ、略してＵＥ）である。例えば、装置は、携帯電話、コードレス電話、セッション開始プロトコル（Ｓｅｓｓｉｏｎ  Ｉｎｉｔｉａｔｉｏｎ  Ｐｒｏｔｏｃｏｌ、略してＳＩＰ）電話、無線ローカルループ（Ｗｉｒｅｌｅｓｓ  Ｌｏｃａｌ  Ｌｏｏｐ、略してＷＬＬ）局、パーソナルデジタルアシスタント（Ｐｅｒｓｏｎａｌ  Ｄｉｇｉｔａｌ  Ａｓｓｉｓｔａｎｔ、略してＰＤＡ）、無線通信機能を有するハンドヘルドデバイス、コンピュータデバイス、車載通信モジュール、スマートメーター、スマートホームデバイス、または無線モデムに接続された別の処理装置であり得る。
【００１８】
本発明の実施形態では、端末装置の画面がある面を前面と呼ぶ。特に断りのない限り、本発明の実施形態で説明する「ベゼル」とは端末装置のフレームを指し、「エッジ」とはベゼルに当接する又は近い部分をいう。
【００１９】
本発明の実施形態１は、端末装置に適用される作動方法を提供する。端末装置の表面には、第１タッチ領域、第２タッチ領域および第３タッチ領域を含む３つのタッチ領域が設けられている。３つのタッチ領域は互いに重なり合わず、３つのシステムナビゲーション機能にそれぞれ対応する。３つのシステムナビゲーション機能には、バック（英語：Ｂａｃｋ）、ホーム（英語：Ｈｏｍｅ）、最近のアプリ（英語：Ｒｅｃｅｎｔ  Ａｐｐ）がある。「バック」は、前の画面表示ページに戻ることを意味する。「ホーム」は、ホーム画面またはホームページに入ることを意味する。「最近のアプリ」は、最近使用したアプリのリストを表示することを意味する。具体的に、どのタッチ領域がどのシステムナビゲーション機能に対応するかは、ユーザによって設定され得る。図１に示すように、方法は次のステップを含む。
【００２０】
Ｓ１１：端末装置は、圧力の大きさが予め設定された値を超える、３つのタッチ領域のうちの１つに加えられる圧力を検出する。
【００２１】
ユーザは、指またはスタイラスを使用して３つのタッチ領域のうちのどれにでもフォースタッチをすることができ、一般的なタップおよびタッチ＆ホールド操作と区別するために、フォースタッチの圧力は設定値を超える必要がある。一般に、ユーザのタップ操作およびタッチ＆ホールド操作は、両方とも特定の圧力が画面に加えられる。しかしながら、本発明のこの実施形態におけるフォースタッチのタッチの圧力は、タップ操作またはタッチ＆ホールド操作における圧力よりも大きい。設定値を超える圧力が３つのタッチ領域のいずれかに加えられると、端末装置はその圧力を検出して次のステップを実行する。この設定値は、本発明のこの実施形態では特に限定されない。一般的なタップ操作およびタッチ＆ホールド操作と区別できる圧力のいかなる大きさも、設定値として使用できる。
【００２２】
Ｓ１２：端末装置は、圧力が加えられるタッチ領域に対応するシステムナビゲーション機能を実施する。
【００２３】
本発明のこの実施形態で提供される端末装置に適用される作動方法によれば、一般的なタップ操作やタッチ＆ホールド操作に加えて、ユーザがシステムナビゲーション機能を迅速かつ便利に操作するためのフォースタッチ操作方式を提供することができる。
【００２４】
図２に示すように、３つのタッチ領域はすべて端末装置の前面に配置されてもよい。斜線のボックスは第１タッチ領域を示し、点線のボックスは第２タッチ領域を示し、グリッドのボックスは第３タッチ領域を示す。第１タッチ領域は、端末装置の前面の２つのベゼルエッジ部に対称的に配置された２つの部分に分割される。図２において、第１タッチ領域は、端末装置の前面の左右のベゼルのエッジ部に配置され、または上下のベゼルのエッジ部に配置され、ユーザが端末装置を水平に握った時にフォースタッチの容易性を向上してもよい。留意点として、第１タッチ領域が分割される２つの部分は全く同じであり、両方とも同じシステムナビゲーション機能に対応する。また、本発明のこの実施形態では、複数の部分に分割されたどのタッチ領域についても、これらの部分はすべて同じシステムナビゲーション機能に対応する。第２タッチ領域も、端末装置の前面の２つのコーナー部に対称的に配置された２つの部分に分割される。図２において、第２タッチ領域は、下側ベゼルに隣接する２つのコーナー部に配置される。第３タッチ領域は、端末装置の前面のベゼルエッジの中央に２つの部分に分割されるか、または全体として配置される。図２において、第３タッチ領域は、端末装置の前面の下側ベゼルエッジ部の中央に全体として配置される。図２に示すように、３つのタッチ領域はそれぞれ画面の一部を覆う。留意点として、本発明のこの実施形態では、タッチ領域が画面の一部を覆うかどうかは、画面の下のみに圧力センサが設けられているかどうかによって決まる。また、端末装置の画面以外の面にも圧力センサが設けられている場合には、３つのタッチ領域のいずれも画面に重ならなくてもよい。例えば、３つのタッチ領域は全て端末装置の前面のベゼルに配置され、または確かに、タッチ領域の一部が画面の一部を覆ってもよく、タッチ領域の一部が画面と重ならない。図２のタッチ領域の対称的な配置により、ユーザは、端末装置を左手で持っているかまたは右手で持っているかにかかわらず、システムナビゲーション機能を迅速かつ便利に操作することができる。
【００２５】
図３に示すように、３つのタッチ領域はすべて端末装置の前面の下側ベゼルエッジ部に水平に配置されてもよい。図３の第２タッチ領域の位置は、図２のそれと同じであり、第１タッチ領域と第３タッチ領域は、それぞれ第２タッチ領域の２つの側に配置される。システムナビゲーション機能が仮想ボタンとして設計され、画面の下部に表示される端末装置では、図１のタッチ領域配置方式を使用することによって、システムナビゲーション機能の仮想ボタンを置き換えて隠すことで、画面の表示領域を拡大することができる。
【００２６】
３つのタッチ領域の少なくとも１つは、端末装置の２つの側面に対称的に配置された２つの部分にさらに分割されて、ユーザが片手で端末装置を保持する時、側面に配置されたタッチ領域へのフォースタッチを容易にする。
【００２７】
さらに、３つのタッチ領域の少なくとも１つは、端末装置の背面に配置されてもよい。３つのタッチ領域が全て端末装置の背面に配置されている場合には、図２の配置方式を参照してもよく、または他の配置方式を用いてもよい。
【００２８】
本発明の実施例２は、端末装置４を提供する。端末装置４の表面には、３つのシステムナビゲーション機能、すなわち、バック、ホーム、および最近のアプリにそれぞれ対応する３つのタッチ領域が設けられる。図４に示したように、本端末装置は：圧力が３つのタッチ領域のうちの１つに加えられ、その圧力の大きさが予め設定された値を超えることを検出すると、プロセッサ４１に、圧力が加えられたタッチ領域に対応するシステムナビゲーション機能を実施するように命令するように構成された圧力センサ４０と、圧力が加えられたタッチ領域に対応するシステムナビゲーション機能を実施するように構成されたプロセッサ４１とを有する。
【００２９】
任意的に、端末装置４はさらに、プログラムコードを格納するように構成されたメモリ４２と、圧力センサ４０と、プロセッサ４１と、メモリ４２とを接続するように構成された通信バス４３とを含む。
【００３０】
さらに、圧力センサ４０は検出ユニット／モジュールであってもよく、プロセッサ４１は処理ユニット／モジュールであってもよい。
【００３１】
タッチ領域の配置方式は、実施形態１における配置方式であってもよいし、この実施形態では詳細は説明しない。
【００３２】
本発明の実施形態３は、端末装置に適用される他の作動方法を提供する。図５に示すように、方法は次のステップを含む。
【００３３】
Ｓ５１：端末装置は、ロック画面状態にあるとき、画面上のアプリのアイコンに加えられた圧力を検出し、その圧力の大きさが予め設定された値を超えることを検出する。
【００３４】
本発明のこの実施形態の端末装置がロック画面状態にあるとき、ロック画面インターフェースが端末装置にインストールされているアプリを表示し、ユーザはロック画面インターフェースをスワイプして、複数ページのアプリを閲覧できる。しかし、この場合、ユーザは、タップ操作及びタッチ＆ホールド操作によりアプリを開くことができない。
【００３５】
ユーザは、指またはスタイラスを使用してアプリのアイコンにフォースタッチをすることができ、一般的なタップ操作およびタッチ＆ホールド操作と区別するために、フォースタッチの圧力は設定値を超える必要がある。一般に、ユーザのタップ操作およびタッチ＆ホールド操作は、両方とも特定の圧力が画面に加えられる。しかしながら、本発明のこの実施形態におけるフォースタッチのタッチの圧力は、タップ操作またはタッチ＆ホールド操作における圧力よりも大きい。大きさが設定値を超える圧力が画面上のアプリのアイコンに加えられると、端末装置はその圧力を検出して次のステップを実行する。
【００３６】
留意点として、ユーザが画面上のアプリのアイコンにフォースタッチを行うとき、画面上の力のかかる領域がアイコン全体を覆うか、またはアイコンの一部のみを覆うことがある。本発明のこの実施形態では、アイコンの下のテキスト名もアイコンの一部である。
【００３７】
Ｓ５２：端末装置が画面のロックを解除してアプリを実行する。
【００３８】
ロック画面状態にある端末装置が、アプリのアイコンに加えられた設定値を超える圧力を検出すると、端末装置は画面のロックを解除してアプリを実行する。
【００３９】
本発明のこの実施形態では、端末装置は、アプリのアイコンに加えられ、大きさが予め設定された値を超えた圧力を検出すると、画面のロックを直接解除してアプリを実行するので、ユーザは、ロック画面状態にある端末装置でアプリを素早く開くことができる。ユーザーエクスペリエンスが向上する。
【００４０】
任意的に、画面のロックを解除する前に、ユーザが指で画面上のアプリのアイコンにフォースタッチを行うと、端末装置は、最初にユーザの指紋を認識し、その指紋を端末装置に予め登録された指紋と比較し、比較結果がそれらの一致であると、画面のロックを解除し、アプリを実行する。これにより、ユーザがロック画面状態の端末装置上のアプリをすばやく開くことができるだけでなく、ユーザの端末装置のセキュリティも保証される。
【００４１】
本発明の実施例４は、端末装置６を提供する。図６に示したように、本端末装置は：端末装置がロック画面状態にあるとき、圧力が画面上のアプリのアイコンに加えられ、その圧力の大きさが予め設定された値を超えることを検出すると、プロセッサ６１に、画面のロックを解除してアプリを実行するように命令するように構成された圧力センサ６０と、画面のロックを解除してアプリを実行するように構成された前記プロセッサ６１とを有する。
【００４２】
任意的に、端末装置６はさらに、プログラムコードを格納するように構成されたメモリ６２と、圧力センサ６０と、プロセッサ６１と、メモリ６２とを接続するように構成された通信バス６３とを含む。
【００４３】
さらに、圧力センサ６０は検出ユニット／モジュールであってもよく、プロセッサ６１は処理ユニット／モジュールであってもよい。
【００４４】
端末装置はさらに、画面がロック解除される前に、ユーザが指でアプリのアイコンにフォースタッチをすると、ユーザの指紋を認識して、その指紋を端末装置に登録され指紋と比較するように構成された指紋センサを含んでもよい。
【００４５】
留意点として、本発明の前述の実施形態では、プロセッサは、中央処理装置（Ｃｅｎｔｒａｌ  Ｐｒｏｃｅｓｓｉｎｇ  Ｕｎｉｔ、略してＣＰＵ）であってもよいし、または別の汎用プロセッサ、デジタル信号プロセッサ（ＤＳＰ）、特定用途集積回路（ＡＳＩＣ）、フィールドプログラマブルゲートアレイ（ＦＰＧＡ）または別のプログラマブルロジックデバイス、ディスクリートゲートまたはトランジスタロジックデバイス、ディスクリートハードウェアコンポーネントなどであってもよい。ユニバーサルプロセッサはマイクロプロセッサであってもよく、プロセッサは任意の従来のプロセッサなどであってもよい。
【００４６】
メモリは、読み出し専用メモリおよびランダムアクセスメモリを含み、プログラムコードを格納し、プロセッサに命令およびデータを提供することができる。
【００４７】
通信バスは、データバスに加えて、電源バス、制御バス、ステータス信号バスなどをさらに含むことができる。しかしながら、明確な説明のために、図中の様々なタイプのバスは通信バスとしてマークされている。
【００４８】
実装プロセスでは、前述の方法におけるステップは、プロセッサ内のハードウェア集積論理回路を使用することによって、またはソフトウェアの形態の命令を使用することによって実施することができる。本発明の実施形態を参照して開示される方法のステップは、ハードウェアプロセッサによって直接実行されてもよく、またはプロセッサ内のハードウェアとソフトウェアモジュールとの組み合わせを用いて実行されてもよい。ソフトウェアモジュールは、ランダムアクセスメモリ、フラッシュメモリ、読み出し専用メモリ、プログラム可能読み出し専用メモリ、電気的消去可能プログラマブルメモリ、またはレジスタなどの、本技術分野においては成熟した記憶媒体に配置することができる。記憶媒体はメモリ内に配置され、プロセッサはメモリ内の情報を読み取り、プロセッサのハードウェアと組み合わせて前述の方法のステップを完了する。繰り返しを避けるために、詳細はここでは再び説明しない。
【００４９】
当業者には言うまでもなく、便宜上かつ説明を簡明にするために、上記のシステム、装置、及びユニットの詳細な動作プロセスについて、方法の実施形態の対応するプロセスを参照し、詳細はここでは説明しない。
【００５０】
上記の説明は、単に本発明の具体的な実施形態であり、本発明の保護範囲の限定を意図したものではない。本発明で開示した技術的範囲内における当業者により容易に想到される変更や置換は、本発明の保護範囲に入るものである。よって、本発明の保護範囲は特許請求の範囲に基づく。
【図１】
0006686129.tif 000002
【図２】
0006686129.tif 000003
【図３】
0006686129.tif 000004
【図４】
0006686129.tif 000005
【図５】
0006686129.tif 000006
【図６】
0006686129.tif 000007